(57)【特許請求の範囲】
【請求項１】
ヘルドフレーム行程と、該行程の開始位置の両方の調整を実行するために、開口装置の制御レバー（２）  上で作動する、織機のヘルドフレーム用の制御リンク機構の連結ヘッドにおいて、
前記ヘッドが本質的に、剛性のある長いガイド（８）  と、その内部で精密に長手方向に摺動するドローワ（９）  とからなり、前記ガイドとドローワには、凹部、及び制御レバー（２）  を横方向に収容するための、広いスロット（１０，１１）  が設けられることと、
前記ドローワ（９）  に対して、前記制御レバー（２）  上で前記ドローワ（９）  を阻止するための関連した第１の楔形ロック手段（１９）と、ガイド（８）  に対して前記ドローワ（９）  を阻止するための第２の楔形ロック手段（２１）と、前記ガイド（８）  内へのドローワ（９）  の長手方向位置を調整するために、ガイドとドローワ間に内挿されるねじ手段（２３）とがあり、前記第１と第２の楔形ロック手段（１９，２１）  は、前記２つの調整を独立に実行するために、他方とは独立に一方が作動および解放されることと、
を特徴とする連結ヘッド。
【請求項２】
前記第１の楔形ロック手段は、
前記ドローワ（９）  の堅固な部分（１２）の傾斜した横方向表面（１３）、及び開口装置の前記制御レバー（２）  の側と係合して、前記ガイド（８）  と前記ドローワ（９）  の前記スロット（１０，１１）  内に部分的に挿入され、調整可能なねじ手段（２０）により接続される、一対の対向した楔（１９）からなる、請求項１に記載の連結ヘッド。
【請求項３】
前記第２の楔形ロック手段は、
前記ドローワ（９）  の堅固な部分（１２）の傾斜した長手方向表面（１４）と係合して、前記ガイド（８）  と前記ドローワ（９）  の間に内挿される楔（２１）と、
前記傾斜した表面（１４）に沿って前記楔（２１）を移動させるためのねじ手段（２２）と、  からなる、請求項１に記載の連結ヘッド。
【請求項４】
前記ドローワ（９）  の長手方向位置をガイド（８）  内に調整するために、前記ガイド（８）  と前記ドローワ（９）  間に内挿される前記ねじ手段は、
前記ガイド（８）  に固定されたブロック（１７）内に、及び前記ドローワ（９）  の堅固な部分（１２）内にねじ込む、ねじ（２３）からなる、請求項１に記載の連結ヘッド。
【発明の詳細な説明】
【０００１】
【発明の属する技術分野】
本発明は、開口装置から織機のヘルドフレームへ制御を伝達する機構の調整可能な装置における改良に関する。
【０００２】
【従来の技術】
周知のように、開口装置（または織糸装置）では、リンク機構の方法により、織機のヘルドフレームを制御することが通例であり、その連結ヘッドは、（ヘルドフレーム行程を調整するために）開口装置の、固定行程ロックレバーである、制御レバーに沿ったヘッド位置の調整、及び（ヘルドフレーム行程の開始位置を調整するために）ヘッド長の調整からなる２つの調整を可能にする。
【０００３】
前記連結ヘッドの異なる構造は、例えばＣＨ−Ａ−６２１．１５９から既知であり、広く使用されているが、それらは全て、２つの調整に対して単一のロック・システムからなるために、欠点を有する。これにより、唯一の調整を実行したい場合でさえも、常に両方の調整を作動させることが必要になる。
【０００４】
【発明が解決しようとする課題】
本発明の目的は、開口装置による織機ヘルドフレームの制御のための、リンク機構の連結ヘッドを提供することであり、それにより、ヘルドフレーム行程と、前記行程の開始位置の両方の調整を独立に実行することが可能になり、従って、絡み合った動作を明らかに単純化し、操作者が、かなりの時間を節約することが可能となる。
【０００５】
【課題を解決するための手段】
この目的のために、本発明は、ヘルドフレーム行程と、該行程の開始位置の両方の調整を実行するために、開口装置の制御レバー上で作動する、織機のヘルドフレーム用の制御リンク機構の連結ヘッドに関しており、前記ヘッドが本質的に、剛性のある長いガイドと、その内部で精密に長手方向に摺動するドローワ（ｄｒａｗｅｒ）とからなり、ガイドとドローワには、制御レバーを横方向に収容するために、凹部と広いスロットが設けられることと、ドローワに対して、制御レバー上でドローワを阻止するための関連した第１の楔形ロック手段、ガイドに対してドローワを阻止するための第２の楔形ロック手段、前記ガイド内へのドローワの長手方向位置を調整するために、ガイドとドローワ間に内挿されるねじ手段があり、前記第１と第２の楔形ロック手段は、前記２つの調整を独立に実行するために、他方とは独立に一方が作動および解放されることとを特徴とする。
【０００６】
前記連結ヘッドにおいて、第１の楔形ロック手段は、ドローワの堅固な部分の傾斜した横方向表面、及び開口装置の制御レバーの側と係合して、ガイドとドローワのスロット内に部分的に挿入され、調整可能なねじ手段により接続される、一対の対向した楔から適切に構成される。
【０００７】
次に、第２の楔形ロック手段は、ドローワの堅固な部分の傾斜した長手方向表面と係合して、前記ガイドと前記ドローワの間に内挿される楔、及び前記傾斜した表面に沿って前記楔を移動させるためのねじ手段から適切に構成される。
【０００８】
本発明によれば、ドローワの長手方向位置をガイド内に調整するために、ガイドとドローワ間に内挿される前記ねじ手段は、前記ガイドに固定されたブロック内に、及び前記ドローワの堅固な部分内にねじ込む、ねじから適切に構成される。
【０００９】
単なる例示の方法により、且つ何の限定も導入せずに、本発明の好適な実施例を示す添付図面を参照して、本発明を更に詳細に説明する。
【００１０】
【発明の実施の形態】
図１を参照すると、織機の動作において、開口装置１により、制御レバー２が固定角度βだけ揺動させられる。リンク機構３が、そのはとめ６がリンク機構３の接続ロッド７に蝶番される、調整可能なヘッド５により接続されるレバー２の制御をヘルドフレーム４に伝達する。
【００１１】
本発明によれば、調整可能なヘッド５（図２から図６を参照）は、はとめ６内に終端する剛性のある長いガイド８、及びガイド８内に精密に長手方向に摺動するドローワ９からなる。ガイド８とドローワ９の両方に、制御レバー２を横方向に収容するために、側面でそれぞれ２つの長手方向の対向するスロット１０、及び１１内に開口する、内部の横方向で広い凹部が設けられる。
【００１２】
ドローワ９は、その内端に対応した２つの傾斜した横方向の表面１３、及び一方の側の傾斜した長手方向の表面１４を備えた、広い堅固な部分１２からなる。前記堅固な部分１２の外端は、２つのねじ穴１５と１６を担持する。
【００１３】
はとめ６に対向するガイド８の端部には、ドローワ９が内部に導入された後、ねじにより適用されるブロック１７があり、それ内には、ドローワ９の堅固な部分１２のねじ穴１６と整合すべく意図された、ねじ穴１８が形成されている。  調整可能なヘッド５は、制御レバー２上のドローワ９を阻止するための、第１の楔形ロック手段、ガイド８に対してドローワ９を阻止するための、第２の楔形ロック手段、及びドローワの長手方向位置をガイド内に調整するために、前記ガイドと前記ドローワ間に内挿される、ねじ手段２３によって完成される。  第１の楔形ロック手段は、ガイド８のスロット１０、及びドローワ９のスロット１１内に部分的に挿入され、その結果、傾斜した側が、傾斜した横方向の表面１３と係合し、傾斜していない側の一方が、制御レバー２の側と係合することになる、一対の対向する横方向の楔１９からなる。楔１９は、ヘッド５の外部で、その側面で操作可能な、ねじ２０により、互いに接続され、従って近づいて、及び離れて引かれることになる。
【００１４】
第２の楔形ロック手段は、ガイド８とドローワ９間に内挿される長手方向の楔２１からなり、その傾斜した側は、ドローワ９の堅固な部分１２の傾斜した長手方向の表面１４と係合し、その傾斜していない側は、ガイド８の内側の一方と係合する。ドローワ９の堅固な部分１２のねじ穴１５内に挿入され、ヘッド５の外部で、はとめ６に対向するその端部で操作されることになる、ねじ２２は、前記傾斜した表面１４に沿った長手方向での楔２１の移動を可能にする。
【００１５】
前記ガイド内に挿入され、内部で阻止されるのを可能にする、ドローワの長手方向位置を調整するために、ガイド８とドローワ９間に内挿される、ねじ手段は、ガイド８に固定されたブロック１７の穴１８、及びドローワ９の堅固な部分１２の穴１６内にねじ込み、ヘッド５の外部で、はとめ６に対向するその端部で操作可能であり、ねじ２２の側に近接している、ねじ２３から最終的に構成される。
【００１６】
本発明に従って上述したヘッドにより、ヘルドフレーム行程、及び前記行程の開始位置の２つの調整が、簡易で実用的な方法で、他方とは一方が独立に実行され得る。
【００１７】
実際、開口装置の制御レバー２上のヘッド５の阻止は、制御レバー２の側とドローワ９の堅固な部分１２間に楔１９を押し込むように、前記堅固な部分１２の傾斜した表面１３に沿って、楔１９を引き寄せるねじ２０を締めることにより得られる。このようにして、レバー２はドローワ９に阻止され、その底部９Ａに、前記レバー２が、楔１９により係合される側に対向する側で支承される。ドローワ９は、第２の楔形ロック手段により、ガイド８に阻止されるので、ヘッド５は、制御レバー２上で選択された位置に阻止されたままである。
【００１８】
ヘルドフレーム行程を調整するために、連結ヘッドにより係合されている制御レバー２の位置を変更したい場合、単純にねじ２０を緩め、レバー２に対してヘッド５をシフトし、よって新しい所望の位置になるまで解放し、そこでロックを得るために再びねじを締めるだけで十分である。これは、レバー２とヘッド５のはとめ６間の距離を全く変更することなく（すなわち、ヘルドフレーム行程の開始位置の調整に影響することなく）、なされる。
【００１９】
他方で、ガイド８内へのドローワ９の阻止は、ねじ２２を締めることにより得られ、これは実際、ドローワ９の堅固な部分１２の傾斜した表面１４と、ガイド８の内側との間に楔２１を押し込め、堅固な部分１２の穴１６内への、及びガイド８の端部に固定されたブロック１７の穴１８内への、ねじ２３の締め具合により設定される往復位置において、前記ドローワを前記ガイドに対して阻止する。
【００２０】
ヘルドフレーム行程の開始点を調整するために、連結ヘッド５の長さ（すなわち、前記ヘッド５のはとめ６からの制御レバー２の距離）を変更したい場合、ドローワ９がガイド８内に自由に摺動可能なように、単純にねじ２２を緩め、次にドローワとガイド間の往復位置を変更するためにねじ２３に作用し、それによりヘッド５のはとめ６からのレバー２の距離が所望のように変更されるが、レバー２は、それ上で第１の楔形ロック手段１９により阻止されている、ドローワに固定されたままである。次に、ドローワ９とガイド８を互いにロックするために、ねじ２２を再び締める。この調整は、ヘルドフレーム行程の長さの調整に全く影響することなく得られる。
【００２１】
本明細書に記載し、例示したものとは異なる、連結ヘッドの他の実施例も、本発明の保護範囲内に完全に入ることを理解されたい。
【００２２】
【発明の効果】
本発明は上述のように構成したので、ヘルドフレーム行程と、前記行程の開始位置の両方の調整を独立に実行することが可能になり、従って、絡み合った動作を明らかに単純化し、操作者が、かなりの時間を節約することが可能となる。
【図面の簡単な説明】
【図１】調整可能な連結ヘッドからなり、開口装置から織機のヘルドフレームへの制御の伝達を示す図である。
【図２】本発明に従った、図１の伝達における制御リンク機構の一部を形成する、調整可能な連結ヘッドの詳細な正面図である。
【図３】図２の線ＩＩＩ−ＩＩＩに沿った、連結ヘッドの断面を示す。
【図４】図２の線ＩＶ−ＩＶに沿った、連結ヘッドの断面を示す。
【図５】図２の線Ｖ−Ｖに沿った、連結ヘッドの断面を示す。
【図６】図２の線ＶＩ−ＶＩに沿った、連結ヘッドの長手方向の断面を示す。
【符号の説明】
１      開口装置
２      制御レバー
３      制御リンク機構
４      ヘルドフレーム
５      ヘッド
８      ガイド
９      ドローワ
１０、１１    スロット
１９            第１の楔形ロック手段
２１            第２の楔形ロック手段
２３            ねじ手段
【図１】
0003598154.tif 000002
【図２】
0003598154.tif 000003
【図３】
0003598154.tif 000004
【図４】
0003598154.tif 000005
【図５】
0003598154.tif 000006
【図６】
0003598154.tif 000007